(57)【要約】  上りリンク信号の送信電力を効率的に設定する。第１の送信電力制御コマンド、第２の送信電力制御コマンド、第１の送信電力制御コマンドの累算が有効かどうかを指示する第１の情報および第２の送信電力制御コマンドの累算が有効かどうかを指示する第２の情報を基地局装置から受信する受信部１０５と、第１の情報と第１の送信電力制御コマンドに基づいて第１のパラメータの値をセットし、第２の情報と第２の送信電力制御コマンドに基づいて第２のパラメータの値をセットし、少なくとも第１のパラメータを用いて第１の参照信号に対する第１の送信電力をセットし、少なくとも第２のパラメータを用いて第２の参照信号に対する第２の送信電力をセットする送信電力設定部１０１５と、第１の送信電力の第１の参照信号および第２の送信電力の第２の参照信号を基地局装置に送信する送信部１０７と、を備える。
2014021394.tif 000002
【特許請求の範囲】
【請求項１】
基地局装置と通信する移動局装置において、
第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記基地局装置から受信する受信部と、
前記第１の情報と前記第１の送信電力制御コマンドに基づいて第１のパラメータの値をセットし、
前記第２の情報と前記第２の送信電力制御コマンドに基づいて第２のパラメータの値をセットし、
少なくとも前記第１のパラメータを用いて第１の参照信号に対する第１の送信電力をセットし、
少なくとも前記第２のパラメータを用いて第２の参照信号に対する第２の送信電力をセットする送信電力設定部と、
前記第１の送信電力の第１の参照信号および前記第２の送信電力の第２の参照信号を前記基地局装置に送信する送信部と、を備えることを特徴とする移動局装置。
【請求項２】
基地局装置と通信する移動局装置において、
第１の送信電力制御コマンド、第２の送信電力制御コマンド、および、前記第１の送信電力制御コマンドの累算および前記第２の送信電力制御コマンドの累算が有効かどうかを指示する情報を前記基地局装置から受信する受信部と、
前記情報と前記第１の送信電力制御コマンドに基づいて第１のパラメータの値をセットし、
前記情報と前記第２の送信電力制御コマンドに基づいて第２のパラメータの値をセットし、
少なくとも前記第１のパラメータを用いて第１の参照信号に対する第１の送信電力をセットし、
少なくとも前記第２のパラメータを用いて第２の参照信号に対する第２の送信電力をセットする送信電力設定部と、
前記第１の送信電力の第１の参照信号および前記第２の送信電力の第２の参照信号を前記基地局装置に送信する送信部と、を備えることを特徴とする移動局装置。
【請求項３】
基地局装置と通信する移動局装置において、
第１の送信電力制御コマンド、第２の送信電力制御コマンド、および、前記送信電力制御コマンドの累算が有効かどうかを指示する情報を前記基地局装置から受信する受信部と、
前記情報と前記第１の送信電力制御コマンドに基づいて第１のパラメータの値をセットし、
前記情報にかかわらず、前記第２の送信電力制御コマンドの値を累算し、
第２のパラメータに前記累算した値をセットし、
少なくとも前記第１のパラメータを用いて第１の参照信号に対する第１の送信電力をセットし、
少なくとも前記第２のパラメータを用いて第２の参照信号に対する第２の送信電力をセットする送信電力設定部と、
前記第１の送信電力の第１の参照信号および前記第２の送信電力の第２の参照信号を前記基地局装置に送信する送信部と、を備えることを特徴とする移動局装置。
【請求項４】
前記送信電力設定部は、
前記第１の送信電力制御コマンドの累算が有効である場合は、前記第１の送信電力制御コマンドの値を累算し、前記第１のパラメータに前記累算した値をセットし、
前記第１の送信電力制御コマンドの累算が無効である場合は、前記第１のパラメータに前記第１の送信電力制御コマンドの値をセットする請求項１から請求項３のいずれかに記載の移動局装置。
【請求項５】
前記送信電力設定部は、
前記第２の送信電力制御コマンドの累算が有効である場合は、前記第２の送信電力制御コマンドの値を累算し、前記第２のパラメータに前記累算した値をセットし、
前記第２の送信電力制御コマンドの累算が無効である場合は、前記第２のパラメータに前記第２の送信電力制御コマンドの値をセットする請求項１、請求項２または請求項４のいずれかに記載の移動局装置。
【請求項６】
基地局装置と通信する移動局装置に用いられる無線通信方法において、
第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記基地局装置から受信し、
前記第１の情報と前記第１の送信電力制御コマンドに基づいて第１のパラメータの値をセットし、
前記第２の情報と前記第２の送信電力制御コマンドに基づいて第２のパラメータの値をセットし、
少なくとも前記第１のパラメータを用いて第１の参照信号に対する第１の送信電力をセットし、
少なくとも前記第２のパラメータを用いて第２の参照信号に対する第２の送信電力をセットし、
前記第１の送信電力の第１の参照信号および前記第２の送信電力の第２の参照信号を前記基地局装置に送信することを特徴とする無線通信方法。
【請求項７】
基地局装置と通信する移動局装置に用いられる無線通信方法において、
第１の送信電力制御コマンド、第２の送信電力制御コマンド、および、前記第１の送信電力制御コマンドの累算および前記第２の送信電力制御コマンドの累算が有効かどうかを指示する情報を前記基地局装置から受信し、
前記情報と前記第１の送信電力制御コマンドに基づいて第１のパラメータの値をセットし、
前記情報と前記第２の送信電力制御コマンドに基づいて第２のパラメータの値をセットし、
少なくとも前記第１のパラメータを用いて第１の参照信号に対する第１の送信電力をセットし、
少なくとも前記第２のパラメータを用いて第２の参照信号に対する第２の送信電力をセットし、
前記第１の送信電力の第１の参照信号および前記第２の送信電力の第２の参照信号を前記基地局装置に送信することを特徴とする無線通信方法。
【請求項８】
基地局装置と通信する移動局装置に用いられる無線通信方法において、
第１の送信電力制御コマンド、第２の送信電力制御コマンド、および、前記送信電力制御コマンドの累算が有効かどうかを指示する情報を前記基地局装置から受信し、
前記情報と前記第１の送信電力制御コマンドに基づいて第１のパラメータの値をセットし、
前記情報にかかわらず、前記第２の送信電力制御コマンドの値を累算し、
第２のパラメータに前記累算した値をセットし、
少なくとも前記第１のパラメータを用いて第１の参照信号に対する第１の送信電力をセットし、
少なくとも前記第２のパラメータを用いて第２の参照信号に対する第２の送信電力をセットし、
前記第１の送信電力の第１の参照信号および前記第２の送信電力の第２の参照信号を前記基地局装置に送信することを特徴とする無線通信方法。
【請求項９】
基地局装置と通信する移動局装置に実装される集積回路において、
第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記基地局装置から受信する機能と、
前記第１の情報と前記第１の送信電力制御コマンドに基づいて第１のパラメータの値をセットする機能と、
前記第２の情報と前記第２の送信電力制御コマンドに基づいて第２のパラメータの値をセットする機能と、
少なくとも前記第１のパラメータを用いて第１の参照信号に対する第１の送信電力をセットする機能と、
少なくとも前記第２のパラメータを用いて第２の参照信号に対する第２の送信電力をセットする機能と、
前記第１の送信電力の第１の参照信号および前記第２の送信電力の第２の参照信号を前記基地局装置に送信する機能と、を含む一連の機能を前記移動局装置に発揮させることを特徴とする集積回路。
【請求項１０】
基地局装置と通信する移動局装置に実装される集積回路において、
第１の送信電力制御コマンド、第２の送信電力制御コマンド、および、前記第１の送信電力制御コマンドの累算および前記第２の送信電力制御コマンドの累算が有効かどうかを指示する情報を前記基地局装置から受信する機能と、
前記情報と前記第１の送信電力制御コマンドに基づいて第１のパラメータの値をセットする機能と、
前記情報と前記第２の送信電力制御コマンドに基づいて第２のパラメータの値をセットする機能と、
少なくとも前記第１のパラメータを用いて第１の参照信号に対する第１の送信電力をセットする機能と、
少なくとも前記第２のパラメータを用いて第２の参照信号に対する第２の送信電力をセットする機能と、
前記第１の送信電力の第１の参照信号および前記第２の送信電力の第２の参照信号を前記基地局装置に送信する機能と、を含む一連の機能を前記移動局装置に発揮させることを特徴とする集積回路。
【請求項１１】
基地局装置と通信する移動局装置に実装される集積回路において、
第１の送信電力制御コマンド、第２の送信電力制御コマンド、および、前記送信電力制御コマンドの累算が有効かどうかを指示する情報を前記基地局装置から受信する機能と、
前記情報と前記第１の送信電力制御コマンドに基づいて第１のパラメータの値をセットする機能と、
前記情報にかかわらず、前記第２の送信電力制御コマンドの値を累算する機能と、
第２のパラメータに前記累算した値をセットする機能と、
少なくとも前記第１のパラメータを用いて第１の参照信号に対する第１の送信電力をセットする機能と、
少なくとも前記第２のパラメータを用いて第２の参照信号に対する第２の送信電力をセットする機能と、
前記第１の送信電力の第１の参照信号および前記第２の送信電力の第２の参照信号を前記基地局装置に送信する機能と、を含む一連の機能を前記移動局装置に発揮させることを特徴とする集積回路。
【請求項１２】
移動局装置と通信する基地局装置において、
第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記移動局装置に送信する送信部と、
少なくとも第１のパラメータを用いてセットされた第１の送信電力の第１の参照信号と、少なくとも第２のパラメータを用いてセットされた第２の送信電力の第２の参照信号を前記移動局装置から受信する受信部と、を備え、
前記第１の情報と前記第１の送信電力制御コマンドに基づいて前記第１のパラメータの値はセットされ、
前記第２の情報と前記第２の送信電力制御コマンドに基づいて前記第２のパラメータの値はセットされることを特徴とする基地局装置。
【請求項１３】
移動局装置と通信する基地局装置において、
第１の送信電力制御コマンド、第２の送信電力制御コマンド、および、前記第１の送信電力制御コマンドの累算および前記第２の送信電力制御コマンドの累算が有効かどうかを指示する情報を前記移動局装置に送信する送信部と、
少なくとも第１のパラメータを用いてセットされた第１の送信電力の第１の参照信号と、少なくとも第２のパラメータを用いてセットされた第２の送信電力の第２の参照信号を前記移動局装置から受信する受信部と、を備え、
前記情報と前記第１の送信電力制御コマンドに基づいて前記第１のパラメータの値はセットされ、
前記情報と前記第２の送信電力制御コマンドに基づいて前記第２のパラメータの値はセットされることを特徴とする基地局装置。
【請求項１４】
移動局装置と通信する基地局装置において、
第１の送信電力制御コマンド、第２の送信電力制御コマンド、および、前記送信電力制御コマンドの累算が有効かどうかを指示する情報を前記移動局装置に送信する送信部と、
少なくとも第１のパラメータを用いてセットされた第１の送信電力の第１の参照信号と、少なくとも第２のパラメータを用いてセットされた第２の送信電力の第２の参照信号を前記移動局装置から受信する受信部と、を備え、
前記情報と前記第１の送信電力制御コマンドに基づいて前記第１のパラメータの値はセットされ、
前記情報にかかわらず、前記第２の送信電力制御コマンドの値は累算され、
前記累算された値が前記第２のパラメータにセットされることを特徴とする基地局装置。
【請求項１５】
移動局装置と通信する基地局装置に用いられる無線通信方法において、
第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記移動局装置に送信し、
少なくとも第１のパラメータを用いてセットされた第１の送信電力の第１の参照信号と、少なくとも第２のパラメータを用いてセットされた第２の送信電力の第２の参照信号を前記移動局装置から受信し、
前記第１の情報と前記第１の送信電力制御コマンドに基づいて前記第１のパラメータの値はセットされ、
前記第２の情報と前記第２の送信電力制御コマンドに基づいて前記第２のパラメータの値はセットされることを特徴とする無線通信方法。
【請求項１６】
移動局装置と通信する基地局装置に用いられる無線通信方法において、
第１の送信電力制御コマンド、第２の送信電力制御コマンド、および、前記第１の送信電力制御コマンドの累算および前記第２の送信電力制御コマンドの累算が有効かどうかを指示する情報を前記移動局装置に送信し、
少なくとも第１のパラメータを用いてセットされた送信電力の第１の参照信号と、少なくとも第２のパラメータを用いてセットされた第２の送信電力の第２の参照信号を前記移動局装置から受信し、
前記情報と前記第１の送信電力制御コマンドに基づいて前記第１のパラメータの値はセットされ、
前記情報と前記第２の送信電力制御コマンドに基づいて前記第２のパラメータの値はセットされることを特徴とする無線通信方法。
【請求項１７】
移動局装置と通信する基地局装置に用いられる無線通信方法において、
第１の送信電力制御コマンド、第２の送信電力制御コマンド、および、前記送信電力制御コマンドの累算が有効かどうかを指示する情報を前記移動局装置に送信し、
少なくとも第１のパラメータを用いてセットされた第１の送信電力の第１の参照信号と、少なくとも第２のパラメータを用いてセットされた第２の送信電力の第２の参照信号を前記移動局装置から受信し、
前記情報と前記第１の送信電力制御コマンドに基づいて前記第１のパラメータの値はセットされ、
前記情報にかかわらず、前記第２の送信電力制御コマンドの値は累算され、
前記累算された値が前記第２のパラメータにセットされることを特徴とする無線通信方法。
【発明の詳細な説明】
【技術分野】
【０００１】
本発明は、移動局装置、基地局装置、無線通信方法、および集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置をＵＥ（User Equipment）とも称する。ＬＴＥは、基地局装置がカバーするエリアをセル状に複数配置するセルラー通信システムである。単一の基地局装置は複数のセルを管理しても良い。【０００３】
ＬＴＥでは、移動局装置はサウンディング参照信号（Sounding Reference signal: SRS）を基地局装置に送信し、基地局装置は受信したサウンディング参照信号に基づいてチャネル状態を測定する。ＬＴＥでは、移動局装置は、基地局装置から受信した上位層の信号に基づいて周期的にＳＲＳを送信する。該周期的に送信されるＳＲＳをピリオディックＳＲＳと称する。ＬＴＥでは、移動局装置は、基地局装置から受信したＳＲＳトリガーに基づいて１回だけＳＲＳを送信する。該１回だけ送信されるＳＲＳをアピリオディックＳＲＳと称する。【０００４】
ＬＴＥでは、ピリオディックＳＲＳの送信電力制御プロセスとアピリオディックＳＲＳの送信電力制御プロセスに対して、オープンループパラメータを独立してセットすることができる。また、ＬＴＥでは、ピリオディックＳＲＳの送信電力制御プロセスとアピリオディックＳＲＳの送信電力制御プロセスに対して、共通のＴＰＣコマンドが用いられる。【０００５】
３ＧＰＰにおいて、移動局装置が上りリンク協調通信（uplink coordinated multi-point transmission/reception）のために、アピリオディックＳＲＳに対する複数の送信電力制御プロセスをサポートすることが検討されている（非特許文献１、２）。さらに、移動局装置がアピリオディックＳＲＳに対する複数の送信電力制御プロセスをサポートする場合は、アピリオディックＳＲＳに対する複数の送信電力制御プロセスのそれぞれに対してオープループパラメータとＴＰＣコマンドが独立してセットされることが検討されている。
【先行技術文献】
【非特許文献】
【０００６】
【非特許文献１】"SRS power control for UL CoMP", R1-122384, 3GPP TSG-RAN WG1 Meeting #69, Prague, Czech Republic, 21-25 May 2012.
【非特許文献２】"Way forward on SRS power control", R1-121859, 3GPP TSG-RAN WG1 Meeting #68bis, Jeju, Korea, 26-30 March 2012.
【発明の概要】
【発明が解決しようとする課題】
【０００７】
しかしながら、移動局装置が、アピリオディックＳＲＳに対する複数の送信電力制御プロセスを扱う技術は十分に確立されていない。【０００８】
本発明は上記の点に鑑みてなされたものであり、その目的は、上りリンク信号の送信電力を効率的に設定することができる移動局装置、基地局装置、無線通信方法、および集積回路を提供することを目的とする。
【課題を解決するための手段】
【０００９】
（１）上記の目的を達成するために、本発明は、以下のような手段を講じた。すなわち、本発明の移動局装置は、基地局装置と通信する移動局装置であって、第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記基地局装置から受信するする受信部と、前記第１の情報と前記第１の送信電力制御コマンドに基づいて第１のパラメータの値をセットし、前記第２の情報と前記第２の送信電力制御コマンドに基づいて第２のパラメータの値をセットし、少なくとも前記第１のパラメータを用いて第１の参照信号に対する第１の送信電力をセットし、少なくとも前記第２のパラメータを用いて第２の参照信号に対する第２の送信電力をセットする送信電力設定部と、前記第１の送信電力の第１の参照信号および前記第２の送信電力の第２の参照信号を前記基地局装置に送信する送信部と、を備える。【００１０】
（２）また、本発明の移動局装置は、基地局装置と通信する移動局装置であって、第１の送信電力制御コマンド、第２の送信電力制御コマンド、および、前記第１の送信電力制御コマンドの累算および前記第２の送信電力制御コマンドの累算が有効かどうかを指示する情報を前記基地局装置から受信する受信部と、前記情報と前記第１の送信電力制御コマンドに基づいて第１のパラメータの値をセットし、前記情報と前記第２の送信電力制御コマンドに基づいて第２のパラメータの値をセットし、少なくとも前記第１のパラメータを用いて第１の参照信号に対する第１の送信電力をセットし、少なくとも前記第２のパラメータを用いて第２の参照信号に対する第２の送信電力をセットする送信電力設定部と、前記第１の送信電力の第１の参照信号および前記第２の送信電力の第２の参照信号を前記基地局装置に送信する送信部と、を備える。【００１１】
（３）また、本発明の移動局装置は、基地局装置と通信する移動局装置であって、第１の送信電力制御コマンド、第２の送信電力制御コマンド、および、前記送信電力制御コマンドの累算が有効かどうかを指示する情報を前記基地局装置から受信する受信部と、前記情報と前記第１の送信電力制御コマンドに基づいて第１のパラメータの値をセットし、前記情報にかかわらず、前記第２の送信電力制御コマンドの値を累算し、第２のパラメータに前記累算した値をセットし、少なくとも前記第１のパラメータを用いて第１の参照信号に対する第１の送信電力をセットし、少なくとも前記第２のパラメータを用いて第２の参照信号に対する第２の送信電力をセットする送信電力設定部と、前記第１の送信電力の第１の参照信号および前記第２の送信電力の第２の参照信号を前記基地局装置に送信する送信部と、を備える。【００１２】
（４）また、本発明の移動局装置は、上記の送信電力設定部において、前記第１の送信電力制御コマンドの累算が有効である場合は、前記第１の送信電力制御コマンドの値を累算し、前記第１のパラメータに前記累算した値をセットし、前記第１の送信電力制御コマンドの累算が無効である場合は、前記第１のパラメータに前記第１の送信電力制御コマンドの値をセットする。【００１３】
（５）また、本発明の移動局装置は、上記の送信電力設定部において、前記第２の送信電力制御コマンドの累算が有効である場合は、前記第２の送信電力制御コマンドの値を累算し、前記第２のパラメータに前記累算した値をセットし、前記第２の送信電力制御コマンドの累算が無効である場合は、前記第２のパラメータに前記第２の送信電力制御コマンドの値をセットする。【００１４】
（６）また、本発明の無線通信方法は、基地局装置と通信する移動局装置に用いられる無線通信方法であって、第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記基地局装置から受信する。また、本発明は、上記の無線通信方法において、前記第１の情報と前記第１の送信電力制御コマンドに基づいて第１のパラメータの値をセットし、前記第２の情報と前記第２の送信電力制御コマンドに基づいて第２のパラメータの値をセットする。また、本発明は、上記の無線通信方法において、少なくとも前記第１のパラメータを用いて第１の参照信号に対する第１の送信電力をセットし、少なくとも前記第２のパラメータを用いて第２の参照信号に対する第２の送信電力をセットし、前記第１の送信電力の第１の参照信号および前記第２の送信電力の第２の参照信号を前記基地局装置に送信する。【００１５】
（７）また、本発明の無線通信方法は、基地局装置と通信する移動局装置に用いられる無線通信方法であって、第１の送信電力制御コマンド、第２の送信電力制御コマンド、および、前記第１の送信電力制御コマンドの累算および前記第２の送信電力制御コマンドの累算が有効かどうかを指示する情報を前記基地局装置から受信する。また、本発明は、上記の無線通信方法において、前記情報と前記第１の送信電力制御コマンドに基づいて第１のパラメータの値をセットし、前記情報と前記第２の送信電力制御コマンドに基づいて第２のパラメータの値をセットする。また、本発明は、上記の無線通信方法において、少なくとも前記第１のパラメータを用いて第１の参照信号に対する第１の送信電力をセットし、少なくとも前記第２のパラメータを用いて第２の参照信号に対する第２の送信電力をセットし、前記第１の送信電力の第１の参照信号および前記第２の送信電力の第２の参照信号を前記基地局装置に送信する。【００１６】
（８）また、本発明の無線通信方法は、基地局装置と通信する移動局装置に用いられる無線通信方法であって、第１の送信電力制御コマンド、第２の送信電力制御コマンド、および、前記送信電力制御コマンドの累算が有効かどうかを指示する情報を前記基地局装置から受信する。また、本発明は、上記の無線通信方法において、前記情報と前記第１の送信電力制御コマンドに基づいて第１のパラメータの値をセットし、前記情報にかかわらず、前記第２の送信電力制御コマンドの値を累算し、第２のパラメータに前記累算した値をセットする。また、本発明は、上記の無線通信方法において、少なくとも前記第１のパラメータを用いて第１の参照信号に対する第１の送信電力をセットし、少なくとも前記第２のパラメータを用いて第２の参照信号に対する第２の送信電力をセットし、前記第１の送信電力の第１の参照信号および前記第２の送信電力の第２の参照信号を前記基地局装置に送信する。【００１７】
（９）また、本発明の集積回路は、基地局装置と通信する移動局装置に実装される集積回路であって、第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記基地局装置から受信する機能と、前記第１の情報と前記第１の送信電力制御コマンドに基づいて第１のパラメータの値をセットする機能と、前記第２の情報と前記第２の送信電力制御コマンドに基づいて第２のパラメータの値をセットする機能と、少なくとも前記第１のパラメータを用いて第１の参照信号に対する第１の送信電力をセットする機能と、少なくとも前記第２のパラメータを用いて第２の参照信号に対する第２の送信電力をセットする機能と、前記第１の送信電力の第１の参照信号および前記第２の送信電力の第２の参照信号を前記基地局装置に送信する機能と、を含む一連の機能を前記移動局装置に発揮させる。【００１８】
（１０）また、本発明の集積回路は、基地局装置と通信する移動局装置に実装される集積回路であって、第１の送信電力制御コマンド、第２の送信電力制御コマンド、および、前記第１の送信電力制御コマンドの累算および前記第２の送信電力制御コマンドの累算が有効かどうかを指示する情報を前記基地局装置から受信する機能と、前記情報と前記第１の送信電力制御コマンドに基づいて第１のパラメータの値をセットする機能と、前記情報と前記第２の送信電力制御コマンドに基づいて第２のパラメータの値をセットする機能と、少なくとも前記第１のパラメータを用いて第１の参照信号に対する第１の送信電力をセットする機能と、少なくとも前記第２のパラメータを用いて第２の参照信号に対する第２の送信電力をセットする機能と、前記第１の送信電力の第１の参照信号および前記第２の送信電力の第２の参照信号を前記基地局装置に送信する機能と、を含む一連の機能を前記移動局装置に発揮させる。【００１９】
（１１）また、本発明の集積回路は、基地局装置と通信する移動局装置に実装される集積回路であって、第１の送信電力制御コマンド、第２の送信電力制御コマンド、および、前記送信電力制御コマンドの累算が有効かどうかを指示する情報を前記基地局装置から受信する機能と、前記情報と前記第１の送信電力制御コマンドに基づいて第１のパラメータの値をセットする機能と、前記情報にかかわらず、前記第２の送信電力制御コマンドの値を累算する機能と、第２のパラメータに前記累算した値をセットする機能と、少なくとも前記第１のパラメータを用いて第１の参照信号に対する第１の送信電力をセットする機能と、少なくとも前記第２のパラメータを用いて第２の参照信号に対する第２の送信電力をセットする機能と、前記第１の送信電力の第１の参照信号および前記第２の送信電力の第２の参照信号を前記基地局装置に送信する機能と、を含む一連の機能を前記移動局装置に発揮させる。【００２０】
（１２）また、本発明の基地局装置は、移動局装置と通信する基地局装置であって、第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記移動局装置に送信する送信部と、少なくとも第１のパラメータを用いてセットされた第１の送信電力の第１の参照信号と、少なくとも第２のパラメータを用いてセットされた第２の送信電力の第２の参照信号を前記移動局装置から受信する受信部と、を備え、前記第１の情報と前記第１の送信電力制御コマンドに基づいて前記第１のパラメータの値はセットされ、前記第２の情報と前記第２の送信電力制御コマンドに基づいて前記第２のパラメータの値はセットされる。【００２１】
（１３）また、本発明の基地局装置は、移動局装置と通信する基地局装置であって、第１の送信電力制御コマンド、第２の送信電力制御コマンド、および、前記第１の送信電力制御コマンドの累算および前記第２の送信電力制御コマンドの累算が有効かどうかを指示する情報を前記移動局装置に送信する送信部と、少なくとも第１のパラメータを用いてセットされた第１の送信電力の第１の参照信号と、少なくとも第２のパラメータを用いてセットされた第２の送信電力の第２の参照信号を前記移動局装置から受信する受信部と、を備え、前記情報と前記第１の送信電力制御コマンドに基づいて前記第１のパラメータの値はセットされ、前記情報と前記第２の送信電力制御コマンドに基づいて前記第２のパラメータの値はセットされる。【００２２】
（１４）また、本発明の基地局装置は、移動局装置と通信する基地局装置であって、第１の送信電力制御コマンド、第２の送信電力制御コマンド、および、前記送信電力制御コマンドの累算が有効かどうかを指示する情報を前記移動局装置に送信する送信部と、少なくとも第１のパラメータを用いてセットされた第１の送信電力の第１の参照信号と、少なくとも第２のパラメータを用いてセットされた第２の送信電力の第２の参照信号を前記移動局装置から受信する受信部と、を備え、前記情報と前記第１の送信電力制御コマンドに基づいて前記第１のパラメータの値はセットされ、前記情報にかかわらず、前記第２の送信電力制御コマンドの値は累算され、前記累算された値が前記第２のパラメータにセットされる。【００２３】
（１５）また、本発明の基地局装置は、移動局装置と通信する基地局装置に用いられる無線通信方法であって、第１の送信電力制御コマンド、第２の送信電力制御コマンド、前記第１の送信電力制御コマンドの累算が有効かどうかを指示する第１の情報、および、前記第２の送信電力制御コマンドの累算が有効かどうかを指示する第２の情報を前記移動局装置に送信する。また、本発明は、上記の基地局装置において、少なくとも第１のパラメータを用いてセットされた第１の送信電力の第１の参照信号と、少なくとも第２のパラメータを用いてセットされた第２の送信電力の第２の参照信号を前記移動局装置から受信する。また、本発明は、上記の基地局装置において、前記第１の情報と前記第１の送信電力制御コマンドに基づいて前記第１のパラメータの値はセットされ、前記第２の情報と前記第２の送信電力制御コマンドに基づいて前記第２のパラメータの値はセットされる。【００２４】
（１６）また、本発明の無線通信方法は、移動局装置と通信する基地局装置に用いられる無線通信方法であって、第１の送信電力制御コマンド、第２の送信電力制御コマンド、および、前記第１の送信電力制御コマンドの累算および前記第２の送信電力制御コマンドの累算が有効かどうかを指示する情報を前記移動局装置に送信する。また、本発明は、上記の無線通信方法において、少なくとも第１のパラメータを用いてセットされた第１の送信電力の第１の参照信号と、少なくとも第２のパラメータを用いてセットされた第２の送信電力の第２の参照信号を前記移動局装置から受信する。また、本発明は、上記の無線通信方法において、前記情報と前記第１の送信電力制御コマンドに基づいて前記第１のパラメータの値はセットされ、前記情報と前記第２の送信電力制御コマンドに基づいて前記第２のパラメータの値はセットされる。【００２５】
（１７）また、本発明の無線通信方法は、移動局装置と通信する基地局装置に用いられる無線通信方法であって、第１の送信電力制御コマンド、第２の送信電力制御コマンド、および、前記送信電力制御コマンドの累算が有効かどうかを指示する情報を前記移動局装置に送信する。また、本発明は、上記の無線通信方法において、少なくとも第１のパラメータを用いてセットされた第１の送信電力の第１の参照信号と、少なくとも第２のパラメータを用いてセットされた第２の送信電力の第２の参照信号を前記移動局装置から受信する。また、本発明は、上記の無線通信方法において、前記情報と前記第１の送信電力制御コマンドに基づいて前記第１のパラメータの値はセットされ、前記情報にかかわらず、前記第２の送信電力制御コマンドの値は累算され、前記累算された値が前記第２のパラメータにセットされる。
【発明の効果】
【００２６】
この発明によれば、移動局装置は上りリンク信号の送信電力を効率的に設定すること。
【図面の簡単な説明】
【００２７】
【図１】本実施形態の無線通信システムの概念図である。
【図２】本実施形態の無線フレームの概略構成を示す図である。
【図３】本実施形態のスロットの構成を示す図である。
【図４】本実施形態の上りリンクサブフレームにおける物理チャネルおよび物理信号の配置の一例を示す図である。
【図５】本実施形態の移動局装置１の構成を示す概略ブロック図である。
【図６】本実施形態の基地局装置３の構成を示す概略ブロック図である。
【図７】第１の実施形態における基地局装置３の動作の一例を示す図である。
【図８】第１の実施形態における移動局装置１の動作の一例を示す図である。
【図９】第２の実施形態における基地局装置３の動作の一例を示す図である。
【図１０】第２の実施形態における移動局装置１の動作の一例を示す図である。
【図１１】第３の実施形態における基地局装置３の動作の一例を示す図である。
【図１２】第３の実施形態における移動局装置１の動作の一例を示す図である。
【発明を実施するための形態】
【００２８】
以下、本発明の実施形態について説明する。
【００２９】
本実施形態では、移動局装置は、単一のセルと通信する。しかしながら、本発明は、移動局装置が複数のセルと通信する場合にも適用できる。移動局装置が複数のセルと通信する技術をセルアグリゲーション、またはキャリアアグリゲーションと称する。セルアグリゲーションに対して、複数のセルのそれぞれにおいて、本発明が適用されても良い。または、セルアグリゲーションに対して、複数のセルの一部に本発明が適用されても良い。
【００３０】
本実施形態では、ＦＤＤ（Frequency Division Duplex）方式が適用される。しかしながら、本発明は、ＴＤＤ（Time Division Duplex）方式の無線通信システムにも適用することができる。また、ＴＤＤ方式を用いるセルとＦＤＤ方式を用いるセルと同時に通信する無線通信システムにも適用することができる。
【００３１】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００３２】
以下、本実施形態の物理チャネルおよび物理信号について説明する。
【００３３】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３４】
ＰＵＣＣＨは、上りリンク制御情報（Uplink Control Information: UCI）を送信するために用いられる物理チャネルである。
【００３５】
ＰＵＳＣＨは、上りリンクデータ（Uplink-Shared Channel: UL-SCH）を送信するために用いられる物理チャネルである。ＰＵＳＣＨは、上りリンクデータと共に上りリンク制御情報を送信するために用いられても良い。ＰＵＳＣＨは上りリンク制御情報のみを送信するために用いられても良い。
【００３６】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。
【００３７】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３８】
本実施形態において、以下の２つのタイプの上りリンク参照信号が用いられる。
・ＤＭＲＳ（Demodulation Reference Signal）
・ＳＲＳ（Sounding Reference Signal）
【００３９】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４０】
ＳＲＳは、ＰＵＳＣＨまたはＰＵＣＣＨの送信に関連しない。基地局装置３は、上りリンクのチャネル状態を測定するためにＳＲＳを使用する。ＳＲＳが送信されるシンボルを、サウンディング参照シンボルとも称する。ＳＲＳの詳細は後述する。
【００４１】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ｅＰＤＣＣＨ（enhanced Physical Downlink Control Channel）
・ＰＤＳＣＨ（Physical Downlink Shared Channel）
【００４２】
ＰＢＣＨは、移動局装置１で共通に用いられるシステム情報（マスターインフォメーションブロック、Broadcast Channel: BCH）を報知するために用いられる。ＰＢＣＨは、４０ｍｓ間隔で送信される。４０ｍｓ間隔のタイミングは、移動局装置１においてブラインド検出（blind detection）される。また、ＰＢＣＨは、１０ｍｓ間隔で再送信される。
【００４３】
ＰＣＦＩＣＨは、ＰＤＣＣＨの送信のために予約される領域（OFDMシンボル）を指示する情報を送信するために用いられる。
【００４４】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（HARQフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。
【００４５】
ＰＤＣＣＨおよびｅＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant；または下りリンクアサインメント「downlink assignment」とも称する。）および上りリンクグラント（uplink grant）を含む。下りリンクグラントは、単一のセル内の単一のＰＤＳＣＨのスケジューリングに用いられる下りリンク制御情報である。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる下りリンク制御情報である。上りリンクグラントは、該上りリンクグラントが送信されたサブフレームよりも４つ以上後のサブフレーム内の単一のＰＵＳＣＨのスケジューリングに用いられる。
【００４６】
下りリンクグラントおよび上りリンクグラントには、送信電力制御（Transmission Power Control: TPC）コマンドが含まれる。また、複数の移動局装置に対する複数のＴＰＣコマンドを含むＤＣＩフォーマット３が定義される。
【００４７】
ＰＤＳＣＨは、下りリンクデータ（Downlink Shared Channel: DL-SCH）を送信するために用いられる。
【００４８】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００４９】
同期信号は、移動局装置１が下りリンクの周波数領域および時間領域の同期をとるために用いられる。
【００５０】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００５１】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５２】
ＢＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。
【００５３】
以下、本実施形態の無線フレーム（radio frame）の構成について説明する。
【００５４】
図２は、本実施形態の無線フレームの概略構成を示す図である。無線フレームのそれぞれは、１０ｍｓ長である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。スロットのそれぞれは、０．５ｍｓ長である。
【００５５】
以下、本実施形態のスロットの構成について説明する。
【００５６】
図３は、本実施形態のスロットの構成を示す図である。スロットのそれぞれにおいて送信される物理信号または物理チャネルは、リソースグリッドによって表現される。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００５７】
リソースブロックは、ある物理チャネル（PDSCHまたはPUSCHなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００５８】
以下、上りリンクサブフレームにおいて送信される物理チャネルおよび物理信号の配置について説明する。
【００５９】
図４は、本実施形態の上りリンクサブフレームにおける物理チャネルおよび物理信号の配置の一例を示す図である。移動局装置１は、上りリンクサブフレームにおいて、上りリンク物理チャネル（PUCCH、PUSCH、PRACH）、および上りリンク物理信号（DMRS、SRS）を送信できる。
【００６０】
ＰＵＣＣＨ領域において、複数の移動局装置１が送信した複数のＰＵＣＣＨが周波数、時間、および符合多重される。単一の移動局装置１は単一の上りリンクサブフレームで１つのＰＵＣＣＨを送信できる。ＰＵＳＣＨ領域において、複数のＰＵＳＣＨが周波数および空間多重される。単一の移動局装置１は、単一のセルの単一の上りリンクサブフレームで単一のＰＵＳＣＨを送信できる。ＰＵＣＣＨとＰＵＳＣＨは周波数多重される。単一の移動局装置１は、単一のセルの単一の上りリンクサブフレームで単一のＰＵＳＣＨと単一のＰＵＣＣＨを同時に送信することができる。ＰＲＡＣＨは単一のサブフレームまたは２つのサブフレームにわたって配置される。また、複数のＰＲＡＣＨが符号多重される。単一の移動局装置１は、単一のセルでＰＲＡＣＨと他の上りリンク信号を同時に送信しない。
【００６１】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳとＰＵＳＣＨ／ＰＵＣＣＨを同時に送信することができる。尚、ＤＭＲＳはＰＵＣＣＨまたはＰＵＳＣＨと時間多重される。説明の簡略化のため図５においてＤＭＲＳは図示しない。
【００６２】
以下、本実施形態のＳＲＳについて説明する。
【００６３】
移動局装置１は、２つのトリガータイプに基づいてＳＲＳを送信する。２つのトリガータイプは、トリガータイプ０とトリガータイプ１である。トリガータイプ０に基づいて送信されるＳＲＳを、ピリオディックＳＲＳまたはトリガータイプ０ＳＲＳと称する。トリガータイプ１に基づいて送信されるＳＲＳを、アピリオディックＳＲＳまたはトリガータイプ１ＳＲＳと称する。
【００６４】
移動局装置１は、上位層の信号に基づいて、上位層によって設定された第１のリソースにおいてピリオディックＳＲＳを送信する。移動局装置１は、ＤＣＩフォーマットに含まれるＳＲＳの送信を要求することを示す情報を受信した場合に、上位層によって設定された第２のリソースにおいてアピリオディックＳＲＳを１回のみ送信する。上記ＳＲＳの送信を要求するかどうかを指示する情報をＳＲＳリクエストまたはＳＲＳリクエストビットと称する。
【００６５】
第１のＳＲＳ送信電力制御プロセスに対応するアピリオディックＳＲＳを第１のアピリオディックＳＲＳまたはトリガータイプ１ａＳＲＳと称する。第２のＳＲＳ送信電力制御プロセスに対応するアピリオディックＳＲＳを第２のアピリオディックＳＲＳまたはトリガータイプ１ｂＳＲＳと称する。トリガータイプ１によって第１のアピリオディックＳＲＳの送信を要求することをトリガータイプ１ａと称し、トリガータイプ１によって第２のアピリオディックＳＲＳの送信を要求されることをトリガータイプ１ｂと称する。
【００６６】
尚、トリガータイプｘ（０、１ａ、１ｂ）ＳＲＳとトリガータイプｙ（０、１ａ、１ｂ）ＳＲＳを総称して、トリガータイプｘ／ｙＳＲＳと称する。尚、単一のセルの単一のＳＣ−ＦＤＭＡシンボルにおいて、複数のＳＲＳは送信されない。つまり、移動局装置１は、単一のセルの単一のＳＣ−ＦＤＭＡシンボルにおいて単一のＳＲＳを送信できる。
【００６７】
本実施形態では、３つのタイプのＳＲＳリクエストが用いられる。タイプ１ａＳＲＳリクエストはトリガータイプ１ａＳＲＳの送信を要求するかどうかを指示する。タイプ１ｂＳＲＳリクエストはトリガータイプ１ｂＳＲＳの送信を要求するかどうかを指示する。タイプ１ＳＲＳリクエストは、トリガータイプ１ａＳＲＳの送信を要求するか、タイプ１ｂＳＲＳの送信を要求するか、またはタイプ１ａＳＲＳおよびタイプ１ｂＳＲＳの送信を要求しないかを指示する。
【００６８】
単一のＤＣＩフォーマットに、単一のＳＲＳリクエストが含まれても良い。単一のＤＣＩフォーマットに、複数のＳＲＳリクエストが含まれてもよい。例えば、単一のＤＣＩフォーマットに、タイプ１ａＳＲＳリクエストとタイプ１ｂＳＲＳリクエストが含まれても良い。移動局装置１は、ＳＲＳリクエストを含む複数の下りリンク制御情報を同時に受信してもよい。
【００６９】
以下、本実施形態の装置構成について説明する。
【００７０】
図５は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３とサブフレーム設定部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００７１】
上位層処理部１０１は、ユーザの操作等により生成された上りリンクデータ（トランスポートブロック）を、送信部１０７に出力する。また、上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００７２】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００７３】
上位層処理部１０１が備えるスケジューリング情報解釈部１０１３は、受信部１０５を介して受信した物理チャネル（PUSCHやPDSCHなど）のスケジューリングに用いられる情報の解釈をし、前記情報を解釈した結果に基づき、受信部１０５、および送信部１０７の制御を行なうために制御情報を生成し、制御部１０３に出力する。
【００７４】
上位層処理部１０１が備える送信電力設定部１０１５は、上りリンク信号（SRS）送信に対する送信電力を設定する。ＳＲＳ送信に対する送信電力の設定方法の詳細は後述する。
【００７５】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００７６】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００７７】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行ない、周波数領域の信号を抽出する。
【００７８】
多重分離部１０５５は、抽出した信号をＰＨＩＣＨ、ＰＤＣＣＨ、ｅＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ｅＰＤＣＣＨ、およびＰＤＳＣＨの伝搬路の補償を行なう。また、多重分離部１０５５は、分離した下りリンク参照信号をチャネル測定部１０５９に出力する。
【００７９】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはｅＰＤＣＣＨに対して、ＱＰＳＫ変調方式の復調を行ない、復号化部１０５１へ出力する。復号化部１０５１は、ＰＤＣＣＨおよび／またはｅＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【００８０】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行ない、復号した下りリンクデータ（トランスポートブロック）を上位層処理部１０１へ出力する。
【００８１】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【００８２】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００８３】
符号化部１０７１は、上位層処理部１０１から入力された上りリンク制御情報を畳込み符号化、ブロック符号化等の符号化を行なう。また、符号化部１０７１は、ＰＵＳＣＨのスケジューリングに用いられる情報に基づきターボ符号化を行なう。
【００８４】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【００８５】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００８６】
無線送信部１０７７は、多重された信号を逆高速フーリエ変換（Inverse Fast Fourier Transform: IFFT）して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００８７】
図６は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３と制御情報生成部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００８８】
上位層処理部３０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００８９】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、または上位ノードから取得し、送信部３０７に出力する。また、無線リソース制御部３０１１は、移動局装置１各々の各種設定情報の管理をする。
【００９０】
上位層処理部３０１が備えるスケジューリング部３０１３は、チャネル測定部３０５９から入力された伝搬路の推定値やチャネルの品質などから、物理チャネル（PDSCHおよびPUSCH）を割り当てる周波数およびサブフレーム、物理チャネル（PDSCHおよびPUSCH）の符号化率および変調方式および送信電力などを決定する。スケジューリング部３０１３は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（PDSCHおよびPUSCH）のスケジューリング結果を制御情報生成部３０１５へ出力する。
【００９１】
制御情報生成部３０１５は、スケジューリング部３０１３から入力されたスケジューリング結果に基づき、物理チャネル（PDSCHおよびPUSCH）および物理信号（SRS）のスケジューリングに用いられる情報および上りリンク信号（SRS）の送信電力制御に用いられる情報／パラメータを生成する。また、制御情報生成部３０１５は、第１の情報、第２の情報、第３の情報、第４の情報、第５の情報、および／または第６の情報などを生成する。また、制御情報生成部３０１５は、生成した情報を送信部３０７へ出力する。
【００９２】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００９３】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９４】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行ない、周波数領域の信号を抽出し多重分離部３０５５に出力する。
【００９５】
多重分離部３０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００９６】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【００９７】
復号化部３０５１は、復調されたＰＵＣＣＨとＰＵＳＣＨの符号化ビットを、予め定められた符号化方式の、予め定められた、または自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【００９８】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ｅＰＤＣＣＨ、ＰＤＳＣＨ、および下りリンク参照信号を多重して、送受信アンテナ３０９を介して移動局装置１に信号を送信する。
【００９９】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１００】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１０１】
無線送信部３０７７は、多重された変調シンボルなどを逆高速フーリエ変換（Inverse Fast Fourier Transform: IFFT）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１０２】
第１の実施形態から第３の実施形態において、ＳＲＳの送信電力のセッティング方法について説明する。
【０１０３】
以下、本発明の第１の実施形態について説明する。
【０１０４】
第１の実施形態において、移動局装置１は、数式（１）に基づいて、セルｃに対するサブフレームｉで送信するＳＲＳに対する送信電力をセットする。トリガータイプ０ＳＲＳ、トリガータイプ１ａＳＲＳ、およびトリガータイプ１ｂＳＲＳのそれぞれに対する送信電力は、数式（１）に基づいてセットされる。数式（１）において、トリガータイプ０ＳＲＳ、トリガータイプ１ａＳＲＳ、およびトリガータイプ１ｂＳＲＳは、少なくとも１つの異なるパラメータに基づいて送信電力がセットされる。つまり、トリガータイプ０ＳＲＳ、トリガータイプ１ａＳＲＳ、およびトリガータイプ１ｂＳＲＳは、異なる送信電力制御プロセスによって送信電力がセットされる。
【０１０５】
【数１】
2014021394.tif 000003
【０１０６】
PCMAX,c(i)は、最大送信電力であり、そして、セルｃに対するサブフレームｉにおける設定された送信電力である。
【０１０７】
PSRS_OFFSET,c(m)は、セルｃに対して上位層によって準静的に（semi-statically）設定されるパラメータである。トリガータイプ０ＳＲＳの場合は、ｍは０である。トリガータイプ１ａＳＲＳの場合は、ｍは１である。トリガータイプ１ｂＳＲＳの場合は、ｍは２である。PSRS_OFFSET,c(0)、PSRS_OFFSET,c(1)、およびPSRS_OFFSET,c(2)は独立である。
【０１０８】
MSRS,cは、セルｃに対するサブフレームｉにおけるＳＲＳ送信の帯域幅であり、そして、リソースブロックの数によって表現される。基地局装置３は、ＳＲＳ送信の帯域幅を決定し、決定した帯域幅を移動局装置１に通知する。異なるトリガータイプのＳＲＳの帯域幅は独立である。また、基地局装置３は、トリガータイプ１ＳＲＳに対して、複数の帯域幅を設定しても良い。この場合、基地局装置３は、トリガータイプ１ＳＲＳの送信を要求する際に、該設定された複数の帯域幅のうち、いずれの帯域幅を用いるかを通知することが好ましい。
【０１０９】
PO_PUSCH,c(j)とαc(j)は、ＰＵＳＣＨ送信の送信電力をセットするために用いられるパラメータであり、そして、ｊは１である。PO_PUSCH,c(1)とαc(1)は、ダイナミックスケジューリングに対応するＰＵＳＣＨ送信の送信電力をセットするために用いられる。
【０１１０】
PO_PUSCH,c(1)は、セルｃに対して、上位層から与えられる要素PO_NOMINAL_PUSCH,c(1)と上位層から与えられる要素PO_UE_PUSCH,c(1)との和から成るパラメータである。PO_NOMINAL_PUSCH,c(1)は、セル固有の要素である。PO_UE_PUSCH,c(1)は、移動局装置固有の要素である。
【０１１１】
αc(1)は、セルｃに対して上位層によって与えられるパラメータであり、そして、｛０、  ０．４、  ０．５、  ０．６、  ０．７、  ０．８、  ０．９、  １｝のうちいずれか１つがセットされる。
【０１１２】
PLcは、セルｃに対する推定のパスロスであり、そして、移動局装置１によって算出される。
【０１１３】
ΔTPC,c(m,i)は、セルｃに対するサブフレームｉにおける電力制御調整状態であり、数式（２）と数式（３）によって定義される。つまり、トリガータイプ０／１ａＳＲＳに対してΔTPC,c(m,i)はfc(i)である、そして、トリガータイプ１ｂＳＲＳに対してΔTPC,c(m,i)はsc(i)である。
【０１１４】
【数２】
2014021394.tif 000004
【０１１５】
【数３】
2014021394.tif 000005
【０１１６】
以下、fc(i)について詳細に説明する。
【０１１７】
fc(i)は、ＰＵＳＣＨ送信の送信電力をセットするために用いられるパラメータである。基地局装置３は、fc(i)の累算が有効（enabled）であるか無効（disabled）であるかを指示するパラメータAccumulation-enabled_fを移動局装置１に送信する。パラメータAccumulation-enabled_fに基づきfc(i)の累算が有効である場合は、移動局装置１は数式（４）に基づいてfc(i)の値を決定する。
【０１１８】
【数４】
2014021394.tif 000006
【０１１９】
δPUSCH,c(i-KPUSCH)は、サブフレームi-KPUSCHで受信したＤＣＩフォーマットに含まれるＴＰＣコマンドが示す（訂正）値である。fc(i)に対応するＴＰＣコマンドを第１のＴＰＣコマンドと称する。第１のＴＰＣコマンドは、ＰＵＳＣＨ、トリガータイプ０／１ａＳＲＳに対応する。fc(0)は、累算のセットまたはリセット後の最初の値である。ＦＤＤ方式に対して、KPUSCHは４である。ＴＤＤ方式に対して、KPUSCHは上りリンク/下りリンクサブフレームの設定およびＴＰＣコマンドを受信したサブフレームの番号に基づいて決定される。
【０１２０】
累算が有効である場合は、第１のＴＰＣコマンドは１または２ビットである。累算が有効であり、そして、第１のＴＰＣコマンドが１ビットである場合は、第１のＴＰＣコマンドは｛−１、１｝のうち１つを示す。累算が有効であり、そして、第１のＴＰＣコマンドが２ビットである場合は、第１のＴＰＣコマンドは｛−１、０、１、３｝のうち１つを示す。つまり、累算が有効である場合は、第１のＴＰＣコマンドは、fc(i)に累算される値を示す。
【０１２１】
パラメータAccumulation-enabled_fに基づきfc(i)の累算が無効である場合は、移動局装置１は数式（５）に基づいてfc(i)の値を決定する。
【０１２２】
【数５】
2014021394.tif 000007
【０１２３】
累算が無効である場合は、第１のＴＰＣコマンドは２ビットである。累算が無効である場合は、第１のＴＰＣコマンドは｛−４、−１、１、４｝のうち１つを示す。つまり、累算が無効である場合は、第１のＴＰＣコマンドは、fc(i)に対する絶対値を示す。
【０１２４】
数式（４）と数式（５）において、移動局装置１がセルｃのサブフレームｉに対する第１のＴＰＣコマンドを受信していない場合、ＴＤＤ方式においてセルｃのサブフレームｉが上りリンクサブフレームではない場合、または、ＤＲＸ（Discontinuous Reception）が発生した場合は、移動局装置１はδPUSCH,cに０ｄＢｍをセットする。
【０１２５】
以下、sc(i)について詳細に説明する。
【０１２６】
基地局装置３は、sc(i)の累算が有効（enabled）であるか無効（disabled）であるかを指示するパラメータAccumulation-enabled_sを移動局装置１に送信する。パラメータAccumulation-enabled_sに基づきsc(i)の累算が有効である場合は、移動局装置１は数式（６）に基づいてsc(i)の値を決定する。
【０１２７】
【数６】
2014021394.tif 000008
【０１２８】
δSRS,c(i-KPUSCH)は、サブフレームi-KPUSCHで受信したＤＣＩフォーマットに含まれるＴＰＣコマンドが示す（訂正）値である。sc(i)に対応するＴＰＣコマンドを第２のＴＰＣコマンドと称する。第２のＴＰＣコマンドは、トリガータイプ１ｂＳＲＳに対応する。sc(0)は、累算のセットまたはリセット後の最初の値である。
【０１２９】
累算が有効である場合は、第２のＴＰＣコマンドは１または２ビットである。累算が有効であり、そして、第２のＴＰＣコマンドが１ビットである場合は、第２のＴＰＣコマンドは｛−１、１｝のうち１つを示す。累算が有効であり、そして、第２のＴＰＣコマンドが２ビットである場合は、第２のＴＰＣコマンドは｛−１、０、１、３｝のうち１つを示す。つまり、累算が有効である場合は、第２のＴＰＣコマンドは、sc(i)に累算される値を示す。
【０１３０】
パラメータAccumulation-enabled_sに基づきsc(i)の累算が無効である場合は、移動局装置１は数式（７）に基づいてsc(i)の値を決定する。
【０１３１】
【数７】
2014021394.tif 000009
【０１３２】
累算が無効である場合は、第２のＴＰＣコマンドは２ビットである。累算が無効である場合は、第２のＴＰＣコマンドは｛−４、−１、１、４｝のうち１つを示す。つまり、累算が無効である場合は、第２のＴＰＣコマンドは、sc(i)に対する絶対値を示す。
【０１３３】
数式（６）と数式（７）において、移動局装置１がセルｃのサブフレームｉに対する第２のＴＰＣコマンドを受信していない場合、ＴＤＤ方式においてセルｃのサブフレームｉが上りリンクサブフレームでない場合、または、ＤＲＸ（Discontinuous Reception）が発生した場合は、移動局装置１はδPUSCH,cに０ｄＢｍをセットする。
【０１３４】
尚、タイプ１ａＳＲＳリクエストは、第１のＴＰＣコマンドと共に同じＤＣＩフォーマットに含まれることが好ましい。尚、タイプ１ｂＳＲＳリクエストは、第２のＴＰＣコマンドと共に同じＤＣＩフォーマットに含まれることが好ましい。タイプ１ＳＲＳリクエストは、第１のＴＰＣコマンドおよび第２のＴＰＣコマンドと共に同じＤＣＩフォーマットに含まれることが好ましい。尚、ＤＣＩフォーマット３は、第１のＴＰＣコマンドおよび第２のＴＰＣコマンドを同時に含んでも良い。
【０１３５】
例えば、上りリンクグラントに第１のＴＰＣコマンドを含める。例えば、下りリンクグラントに第２のＴＰＣコマンドを含める。例えば、上りリンクグラントおよび／または下りリンクグラントに第１のＴＰＣコマンドおよび第２のＴＰＣコマンドを含める。例えば、上りリンクグラントおよび／または下りリンクグラントに第１のＴＰＣコマンドまたは第２のＴＰＣコマンドを含める。この場合、移動局装置１は、上りリンクグラントおよび／または下りリンクグラントに、第１のＴＰＣコマンドおよび第２のＴＰＣコマンドのどちらが含まれているかを判断する方法が必要である。
【０１３６】
例えば、上りリンクグラントおよび／または下りリンクグラントに含まれる情報ビットに基づいて、上りリンクグラントおよび／または下りリンクグラントに第１のＴＰＣコマンドおよび第２のＴＰＣコマンドのどちらが含まれているかを判断する。例えば、上りリンクグラントおよび／または下りリンクグラントに含まれるＳＲＳリクエストに基づいて、上りリンクグラントおよび／または下りリンクグラントに第１のＴＰＣコマンドおよび第２のＴＰＣコマンドのどちらが含まれているかを判断する。
【０１３７】
以下、第１の実施形態の移動局装置１と基地局装置３の動作について説明する。
【０１３８】
図７は、第１の実施形態における基地局装置３の動作の一例を示す図である。第１の実施形態の基地局装置３は、第１のＴＰＣコマンド（第１の送信電力制御コマンド）、第２のＴＰＣコマンド（第２の送信電力制御コマンド）、第１のＴＰＣコマンドの累算が有効かどうかを指示するパラメータAccumulation-enabled_f（第１の情報）、および、第２のＴＰＣコマンドの累算が有効かどうかを指示するパラメータAccumulation-enabled_s（第２の情報）を移動局装置１に送信する（ステップＳ７００）。第１の実施形態の基地局装置３は、少なくともfc(i)（第１のパラメータ）を用いてセットした送信電力のＳＲＳ（トリガータイプ０／１ａＳＲＳ）と、少なくともsc(i)（第２のパラメータ）を用いてセットした送信電力のＳＲＳ（トリガータイプ１ｂＳＲＳ）を移動局装置１から受信する（ステップＳ７０２）。
【０１３９】
図８は、第１の実施形態における移動局装置１の動作の一例を示す図である。第１の実施形態の移動局装置１は、第１のＴＰＣコマンド（第１の送信電力制御コマンド）、第２のＴＰＣコマンド（第２の送信電力制御コマンド）、第１のＴＰＣコマンドの累算が有効かどうかを指示するパラメータAccumulation-enabled_f（第１の情報）、および、第２のＴＰＣコマンドの累算が有効かどうかを指示するパラメータAccumulation-enabled_s（第２の情報）を基地局装置３から受信する（ステップＳ８００）。
【０１４０】
第１の実施形態の移動局装置１は、Accumulation-enabled_fと第１のＴＰＣコマンドに基づいてfc(i)（第１のパラメータ）の値をセットし、Accumulation-enabled_sと第２のＴＰＣコマンドに基づいてsc(i)（第２のパラメータ）の値をセットする。第１の実施形態の移動局装置１は、少なくともfc(i)を用いてセットした送信電力のＳＲＳ（トリガータイプ０／１ａＳＲＳ）と、少なくともsc(i)を用いてセットした送信電力のＳＲＳ（トリガータイプ１ｂＳＲＳ）を基地局装置３に送信する（ステップＳ８０２）。
【０１４１】
尚、第１の実施形態の移動局装置１は、Accumulation-enabled_fに基づいて第１のＴＰＣコマンドの累算が有効である場合は、第１のＴＰＣコマンドの値を累算し、fc(i)に累算した値をセットし、Accumulation-enabled_fに基づいて第１のＴＰＣコマンドの累算が無効である場合は、fc(i)に第１のＴＰＣコマンドの値をセットする。
【０１４２】
尚、第１の実施形態の移動局装置１は、Accumulation-enabled_sに基づいて第２のＴＰＣコマンドの累算が有効である場合は、第２のＴＰＣコマンドの値を累算し、sc(i)に累算した値をセットし、Accumulation-enabled_sに基づいて第２のＴＰＣコマンドの累算が無効である場合は、sc(i)に第２のＴＰＣコマンドの値をセットする。
【０１４３】
これにより、基地局装置３は、トリガータイプ０／１ａＳＲＳとトリガータイプ１ｂＳＲＳのそれぞれに対応するＴＰＣコマンドの累算を有効にするかどうかを独立して制御することができる。そして、移動局装置１と基地局装置３はＳＲＳに対する複数の送信電力制御プロセスを効率的に扱うことができる。
【０１４４】
以下、本発明の第２の実施形態について説明する。
【０１４５】
図９は、第２の実施形態における基地局装置３の動作の一例を示す図である。第２の実施形態の基地局装置３は、Accumulation-enabled_fとAccumulation-enabled_sを移動局装置１に送信しない。そして、第１のＴＰＣコマンド（第１の送信電力制御コマンド）、第２のＴＰＣコマンド（第２の送信電力制御コマンド）、および、ＴＰＣコマンドの累算が有効（enabled）であるかどうかを指示するパラメータAccumulation-enabled_fs（情報）を移動局装置１に送信する（ステップＳ９００）。第２の実施形態の基地局装置３は、少なくともfc(i)（第１のパラメータ）を用いてセットした送信電力のＳＲＳ（トリガータイプ０／１ａＳＲＳ）と、少なくともsc(i)（第２のパラメータ）を用いてセットした送信電力のＳＲＳ（トリガータイプ１ｂＳＲＳ）を移動局装置１から受信する（ステップＳ９０２）。
【０１４６】
第２の実施形態の移動局装置１は、数式（１）から（７）に基づいて、セルｃに対するサブフレームｉで送信するトリガータイプ０／１ａ／１ｂＳＲＳに対する送信電力をセットする。
【０１４７】
図１０は、第２の実施形態における移動局装置１の動作の一例を示す図である。第２の実施形態の移動局装置１は、第１のＴＰＣコマンド（第１の送信電力制御コマンド）、第２のＴＰＣコマンド（第２の送信電力制御コマンド）、および、ＴＰＣコマンドの累算が有効（enabled）であるかどうかを指示するパラメータAccumulation-enabled_fs（情報）を基地局装置３から受信する（ステップＳ１０００）。
【０１４８】
第２の実施形態の移動局装置１は、Accumulation-enabled_fsと第１のＴＰＣコマンドに基づいてfc(i)（第１のパラメータ）の値をセットし、Accumulation-enabled_fsと第２のＴＰＣコマンドに基づいてsc(i)（第２のパラメータ）の値をセットする。第２の実施形態の移動局装置１は、少なくともfc(i)を用いてセットした送信電力のＳＲＳ（トリガータイプ０／１ａＳＲＳ）と、少なくともsc(i)を用いてセットした送信電力のＳＲＳ（トリガータイプ１ｂＳＲＳ）を基地局装置３に送信する（ステップＳ１００２）。
【０１４９】
第２の実施形態の移動局装置１は、パラメータAccumulation-enabled_fsに基づきfc(i)とsc(i)の累算が有効である場合は、数式（４）に基づいてfc(i)の値を、そして、数式（６）に基づいてsc(i)の値を決定する。第２の実施形態の移動局装置１は、パラメータAccumulation-enabled_fsに基づきfc(i)とsc(i)の累算が無効である場合は、数式（５）に基づいてfc(i)の値を、そして、数式（７）に基づいてsc(i)の値を決定する。
【０１５０】
これにより、基地局装置３は、単一のパラメータAccumulation-enabled_fsを用いてトリガータイプ０／１ａＳＲＳとトリガータイプ１ｂＳＲＳに対応するＴＰＣコマンドの累算を有効にするかどうかを制御することができるため下りリンク信号のオーバーヘッドを減らすことができる。また、移動局装置１と基地局装置３はＳＲＳに対する複数の送信電力制御プロセスを効率的に扱うことができる。
【０１５１】
以下、本発明の第３の実施形態について説明する。
【０１５２】
図１１は、第３の実施形態における基地局装置３の動作の一例を示す図である。第３の実施形態の基地局装置３は、第１のＴＰＣコマンド（第１の送信電力制御コマンド）、第２のＴＰＣコマンド（第２の送信電力制御コマンド）、および、第１のＴＰＣコマンドの累算が有効（enabled）であるかどうかを指示するパラメータAccumulation-enabled_f（情報）を移動局装置１に送信する（ステップＳ１１００）。第３の実施形態の基地局装置３は、少なくともfc(i)（第１のパラメータ）を用いてセットした送信電力のＳＲＳ（トリガータイプ０／１ａＳＲＳ）と、少なくともsc(i)（第２のパラメータ）を用いてセットした送信電力のＳＲＳ（トリガータイプ１ｂＳＲＳ）を移動局装置１から受信する（ステップＳ１１０２）。第３の実施形態の基地局装置３は、Accumulation-enabled_sおよびAccumulation-enabled_fsを移動局装置１に送信しない。
【０１５３】
第３の実施形態の移動局装置１は、数式（１）から（６）に基づいて、セルｃに対するサブフレームｉで送信するトリガータイプ０／１ａ／１ｂＳＲＳに対する送信電力をセットする。第３の実施形態の移動局装置１は、常に数式（６）に基づいてsc(i)の値を決定する。つまり、第３の実施形態の移動局装置１は、数式（７）に基づいてsc(i)の値を決定しない。
【０１５４】
図１２は、第３の実施形態における移動局装置１の動作の一例を示す図である。第３の実施形態の移動局装置１は、第１のＴＰＣコマンド（第１の送信電力制御コマンド）、第２のＴＰＣコマンド（第２の送信電力制御コマンド）、および、ＴＰＣコマンドの累算が有効（enabled）であるかどうかを指示するパラメータAccumulation-enabled_f（情報）を基地局装置３から受信する（ステップＳ１２００）。
【０１５５】
第２の実施形態の移動局装置１は、Accumulation-enabled_fと第１のＴＰＣコマンドに基づいてfc(i)（第１のパラメータ）の値をセットし、第２のＴＰＣコマンドに基づいてsc(i)（第２のパラメータ）の値をセットする。第２の実施形態の移動局装置１は、少なくともfc(i)を用いてセットした送信電力のＳＲＳ（トリガータイプ０／１ａＳＲＳ）と、少なくともsc(i)を用いてセットした送信電力のＳＲＳ（トリガータイプ１ｂＳＲＳ）を基地局装置３に送信する（ステップＳ１２０２）。
【０１５６】
第３の実施形態の移動局装置１は、パラメータAccumulation-enabled_fに基づきfc(i)の累算が有効である場合は、数式（４）に基づいてfc(i)の値を決定する。第３の実施形態の移動局装置１は、パラメータAccumulation-enabled_fに基づきfc(i)の累算が無効である場合は、数式（５）に基づいてfc(i)の値を決定する。第３の実施形態の移動局装置１は、常に、第２のＴＰＣコマンドの値を累算し、sc(i)に累算した値をセットする。
【０１５７】
fc(i)はＰＵＳＣＨに用いられるパラメータであり、従来技術において累算の有効と無効をサポートしていたため、第３の実施形態の移動局装置１と基地局装置３もfc(i)の累算の有効と無効の両方をサポートすることが好ましい。
【０１５８】
累算が有効である場合は、複数のＴＰＣコマンドの値を累算することでfc(i)とsc(i)の値を自由に変更することができる。しかし、累算が無効である場合は、fc(i)とsc(i)の値を決められた範囲の中で変更することしかできないという欠点がある。そこで、第３の実施形態では、トリガータイプ１ｂＳＲＳのみに対応しているsc(i)は累算を常に有効とした。
【０１５９】
これにより、第１の実施形態と比較すると、基地局装置３はパラメータAccumulation-enabled_sを送信しなくてよくなるため、下りリンク信号のオーバーヘッドを減らすことができる。また、移動局装置１と基地局装置３はＳＲＳに対する複数の送信電力制御プロセスを効率的に扱うことができる。
【０１６０】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行なわれる。
【０１６１】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１６２】
尚、ここでいう「コンピュータシステム」とは、移動局装置１、または基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６４】
また、上述した実施形態における移動局装置１、基地局装置３の一部、または全部を典型的には集積回路であるＬＳＩとして実現しても良いし、チップセットとして実現しても良い。移動局装置１、基地局装置３の各機能ブロックは個別にチップ化しても良いし、一部、または全部を集積してチップ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１６５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１６６】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  送信電力設定部
３０１１  無線リソース制御部
３０１３  スケジューリング部
３０１５  制御情報生成部
【図１】
2014021394.tif 000010
【図２】
2014021394.tif 000011
【図３】
2014021394.tif 000012
【図４】
2014021394.tif 000013
【図５】
2014021394.tif 000014
【図６】
2014021394.tif 000015
【図７】
2014021394.tif 000016
【図８】
2014021394.tif 000017
【図９】
2014021394.tif 000018
【図１０】
2014021394.tif 000019
【図１１】
2014021394.tif 000020
【図１２】
2014021394.tif 000021
【国際調査報告】
2014021394.tif 000022
2014021394.tif 000023
2014021394.tif 000024
2014021394.tif 000025